(57)【要約】【課題】吸引ホースに連結され、噴射ノズルを備えた吸引ノズルにおいて、噴射ノズルの噴射口や吸引ノズル内壁面等の付着物を除去し易く、噴射ノズルのノズルチップの交換も容易な湿式電気掃除機用吸引ノズルを提供すること。【解決手段】吸引ホース１２に連結され、被洗浄物に噴射ノズル５１から洗浄液を噴射し、且つ該被洗浄物の汚れを水分と空気と共に吸引する湿式電気掃除機用の吸引ノズル１１であって、前記吸引ホース１２側の後方部１１Ｂと先端部６１側の前方部１１Ａとに分割され、該前方部１１Ａの後端嵌合部６４と該後方部１１Ｂの前端嵌合部６６が嵌合されるようになっており、前記噴射ノズル５１の噴射口５１Ａの近傍で前記前方部１１Ａと前記後方部１１Ｂとに分割される。【選択図】図４
2006181041.tif 000002
【特許請求の範囲】
【請求項１】
吸引ホースに連結され、被洗浄物に噴射ノズルから洗浄液を噴射し、且つ該被洗浄物の汚れを水分と空気と共に吸引する湿式電気掃除機用の吸引ノズルであって、
前記吸引ホース側の後方部と先端部側の前方部とに分割され、該前方部の後端嵌合部と該後方部の前端嵌合部が嵌合されるようになっており、
前記噴射ノズルの噴射口の近傍で前記前方部と前記後方部とに分割される湿式電気掃除機用吸引ノズル。
【請求項２】
前記前方部の内部には、前記噴射ノズルから噴射された洗浄液を遮断する遮蔽板が設けられており、
前記前方部の上面には、前記遮蔽板に連結したピストン及び該ピストンをガイドするガイド凸状体が設けられている請求項１記載の湿式電気掃除機用吸引ノズル。
【発明の詳細な説明】
【技術分野】
【０００１】
本発明は、被洗浄物の汚れを水分と空気と共に吸引する湿式電気掃除機用の吸引ノズルに関する。
【背景技術】
【０００２】
従来より、主に業務用として、吸引ノズル内部の噴射ノズルから被洗浄物に洗浄液を噴射しながら、被洗浄物の汚れを水分と空気と共に吸引する湿式電気掃除機が使用されている。
このような湿式電気掃除機には、下記特許文献１のように、吸引ノズルの先端部と噴射ノズルの噴射口との間に該噴射ノズルから噴射される洗浄液を遮蔽する遮蔽板が設けられることもある。かかる湿式電気掃除機では、吸引ノズルを被洗浄物から離しているときに、噴射ノズルから噴射される洗浄液を遮蔽板により遮蔽して、洗浄液が吸引ノズルから飛散しないようにすることができる。
被洗浄物の汚れを吸引した後は、吸引ノズル内、噴射ノズル内あるいは噴射口に被洗浄物からのゴミ等が付着し易い。下記特許文献１では、吸引ノズルの構造には特に言及されていないが、ゴミ等を容易に除去できるような構成の吸引ノズルが望まれていた。
【０００３】
【特許文献１】特開２００１−２９９９０３号公報
【発明の開示】
【発明が解決しようとする課題】
【０００４】
ところで、前述のように、従来の湿式電気掃除機では、吸引ノズル内壁面、噴射ノズルの噴射口、また、遮蔽板が設けられている場合には、遮蔽板の噴射ノズルとの対向面や遮蔽板と噴射ノズルとの間の部分等に付着したゴミ等（以下、付着物という）を除去し難い吸引ノズル構造となっている。
噴射ノズルは、その噴射口に種々のノズルチップを取り付けることにより、霧状に噴射（噴霧）したり、洗浄液を直線状に勢いよく噴射したりすることができるが、従来の吸引ノズルでは、前記の構造的要因のために、ノズルチップの交換も困難であった。
【０００５】
従って、本発明の目的は、噴射ノズルを備えた吸引ノズルにおいて、噴射ノズルの噴射口や吸引ノズル内壁面等の付着物を除去し易く、噴射ノズルのノズルチップの交換も容易な湿式電気掃除機用吸引ノズルを提供することにある。
【課題を解決するための手段】
【０００６】
本発明は、吸引ホースに連結され、被洗浄物に噴射ノズルから洗浄液を噴射し、且つ該被洗浄物の汚れを水分と空気と共に吸引する湿式電気掃除機用の吸引ノズルであって、前記吸引ホース側の後方部と先端部側の前方部とに分割され、該前方部の後端嵌合部と該後方部の前端嵌合部が嵌合されるようになっており、前記噴射ノズルの噴射口の近傍で前記前方部と前記後方部とに分割される湿式電気掃除機用吸引ノズルを提供することにより、上記目的を達成したものである。なお、吸引ホース側の前記後方部は、前記吸引ホースと直接連結するが、先端部側の前記前方部は、前記吸引ホースと直接には連結せず、該後方部を介して連結する。
【発明の効果】
【０００７】
本発明の湿式電気掃除機用吸引ノズルによれば、噴射ノズルの噴射口や吸引ノズル内壁面等の付着物を除去し易く、噴射ノズルのノズルチップの交換も容易である。そのため、本発明の吸引ノズルは、特にカーペットのように、髪の毛、綿ゴミ等が付着し易い被洗浄物を清掃する場合に特に好適に使用される。
【発明を実施するための最良の形態】
【０００８】
以下、本発明の湿式電気掃除機用吸引ノズル（以下単に「吸引ノズル」という）を、その好ましい一実施形態について、図面を参照して説明する。
本実施形態の吸引ノズル１１は、吸引ホース１２に連結され、汚れと水分を空気と共に吸引する吸引ノズルである。そして、図１及び図２に示すように、該吸引ノズル１１と、該吸引ノズル１１から吸引される汚れ、水分及び空気の混合流Ａを導通する吸引ホース１２と、該吸引ホース１２から導入される該混合流Ａから汚れ及び水分を分離する気水分離器１３と、該混合流Ａから汚れと水分がほぼ分離された空気Ｃ’を吸引して排気する出力１．５ｋＷ以下の電動ファン１５と、該混合流Ａから分離される汚れと水分を貯溜する汚水タンク１４とを備え、床等の建物構造部の清掃に用いられる湿式電気掃除機に使用される吸引ノズルである。
【０００９】
本実施形態の吸引ノズル１１は、図２〜図７に示すように、吸引ホース１２に連結され、その内部に洗浄液Ｗを噴射する噴射ノズル５１を具備し、更に、該吸引ノズル１１の先端部６１と該噴射ノズル５１の噴射口５１Ａとの間に該噴射ノズル５１から噴射される洗浄液Ｗを遮蔽する遮蔽板５６を具備する。そして、前記噴射ノズル５１から被洗浄物に洗浄液Ｗを噴射しながら被洗浄物の汚れを水分及び空気と共に吸引する。前記遮蔽板５６は、前記電動ファン１５の作動中に前記吸引ノズル１１を被洗浄物に接触させ、前記吸引ノズル１１内が負圧状態になっている間だけ、所定の位置に移動するもので、その間においては、前記噴射ノズル５１から噴射されている洗浄液Ｗが被洗浄物に達することができる。また、前記遮蔽板５６は、前記吸引ノズル１１が被洗浄物と非接触の状態では、コイルばね７４の作用により上方に移動し、前記噴射ノズル５１から噴射されている洗浄液Ｗを該吸引ノズル１１から外部に飛散しないように該洗浄液Ｗを遮断するものであり、本発明の吸引ノズルには、該遮蔽板が設けられていることが好ましい。
【００１０】
本実施形態の吸引ノズル１１について詳述する。
吸引ノズル１１は、図３〜図５に示すように、平面視で末広がり形状を有する中空体である。その先端部６１は開口し、被洗浄物との接触面となっている。その後端部も開口し、吸引ホース１２との接合部（ホース接合部）６８となっている。
【００１１】
吸引ノズル１１は、図４に示すように、前記噴射ノズル５１の噴射口５１Ａの近傍で前方部１１Ａと後方部１１Ｂとに分割される。遮蔽板５６は前方部１１Ａ内に設けられ、図７に示すように、前方部１１Ａの上面には、遮蔽板５６に連結したピストン７２とそれをガイドするガイド凸状体７５が設けられている。
前方部１１Ａの先端部６１には、図３〜図５に示すように、略全周に亘って軟質部材６２が設けられている。軟質部材６２は、洗浄時に該先端部６１と被洗浄物との間の隙間防止（これにより吸引効果の向上や洗浄液の飛散防止が図られる）や被洗浄物の損傷防止の役割を果たす部材で、軟質な材であれば、その材質に特に制限はない。本実施形態においては、ゴムシートを用いている。
【００１２】
前方部１１Ａの後方部１１Ｂ側の端部は、図４に示すように、後方部１１Ｂの前端嵌合部６６（後述）の内周面に嵌合する後端嵌合部６４であり、その周囲には雌ネジ部６５が設けられている。前方本体６３の上面には、図６に示すように、軸部貫通孔７７が形成されている。
前方部１１Ａの先端部６１と後端嵌合部６４との間は前方本体６３であり、その内部には、図６に示すように、噴射ノズル５１の噴射口５１Ａが位置している。
前方本体６３の先端部６１と噴射ノズル５１の噴射口５１Ａとの間には、図６及び図７に示すように、噴射口５１Ａと近接して、遮蔽板５６が設けられ、その中央部には、図６及び図７に示すように、導通孔５６Ａが形成されている。
【００１３】
遮蔽板５６は、図６に示すように、クランク形状の部材であり、噴射ノズル５１と対向する面（平板状）の上部には導通孔５６Ａが設けられている。該遮蔽板５６の一方の端部は棒状であり、吸引ノズル１１の前方部１１Ａの上壁面を貫通している。貫通部分にはコイルばね７４が設けられ、貫通部分の頭部には凹部を持つピストン７２が当接し、該ピストン７２は、ピストンガイドの役目を果たすガイド凸状体７５内に収容されている。電動ファン１５が作動していないときは、噴射ノズル５１と遮蔽板５６の位置関係は図７に示されるように、噴射口５１Ａが遮蔽板５６の板状下部分でさえぎられている状態になる。電動ファン１５の作動中に吸引ノズル１１を被洗浄物に接触させると、吸引ノズル１１内が負圧状態になり、その間においては、遮蔽板５６は下方に引っ張られて噴射口５１Ａと遮蔽板５６の導通孔５６Ａが重なった状態になり、噴射口５１Ａから噴射される洗浄液Ｗは導通孔５６Ａを通して被洗浄物に達する。また、電動ファン１５が作動中であっても、吸引ノズル１１が被洗浄物と非接触の状態では、吸引ノズル１１内の負圧が解除されて常圧になるので、コイルばね７４の付勢力によって遮蔽板５６は上方に引っ張られて、噴射ノズル５１Ａと遮蔽板５６は、再び図７に示す位置関係となる。従って、電動ファン１５が作動中であって噴射口５１Ａから洗浄液Ｗが噴射されていても、吸引ノズル１１が被洗浄物と接触していないときは、該洗浄液は遮蔽板５６でさえぎられるので、吸引ノズル１１から外部に飛散することはない。
【００１４】
吸引ノズル１１の後方部１１Ｂの先端部は、図４及び図６に示すように、吸引ノズル１１の前方部１１Ａと前端嵌合部６６で接合する。該接合部６６には、周方向に離間して複数個のネジ貫通孔７１が、前方部１１Ａの雌ネジ部６５と位置を整合させて形成されている。
また、後方部１１Ｂの後端部は吸引ホース１２の端部とホース接合部６８で接合する。
後方部１１Ｂの下方には、送液チューブ５２との接合部であるチューブ接合部６９が配されている。
また、チューブ接合部６９と噴射ノズル５１とを連通する屈曲管路７０が、後方部１１Ｂの外周下部を貫通して設けられている。
前方部１１Ａと後方部１１Ｂとは、図３に示すように、後端嵌合部６４と前端嵌合部６６との嵌合及び雄ネジＳをネジ貫通孔７１を介して雌ネジ部６５にネジ留めすることにより連結され、吸引ノズル１１を構成する。
【００１５】
本発明における「噴射ノズルの噴射口の近傍で前方部と後方部とに分割される」とは、噴射ノズルの噴射口が、吸引ノズルにおける前方部と後方部との分割面と略一致している場合の他、図４、図１０及び図１１に示す実施形態のように、噴射ノズルの噴射口が分割面から前方部側に突出している場合、図８及び図９に示す実施形態（後述）のように、噴射口の清掃や噴射口のノズルチップ交換に支障のない範囲で、噴射ノズルの噴射口が分割面（前方部に最も近い垂直分割面）から後退している場合を含む。
【００１６】
次に、本実施形態の吸引ノズル１１が用いられた湿式電気掃除機１の一形態について述べる。
前記吸引ホース１２は、図１及び図２に示すように、吸引ノズル１１と前記気水分離器１３とを前記汚水タンク１４を介して連通するホースであり、吸引ノズル１１から吸引される汚れ、水分及び空気の混合流Ａを導通するものである。
吸引ホース１２の一端部１２Ａは、図２、図３及び図６に示すように、後方部１１Ｂのホース接合部６８と接合されて、吸引ノズル１１の内部と連通しており、その他端部１２Ｂは、前記汚水タンク１４の周面上部の導入筒３１の内側に嵌合している。
吸引ホース１２としては、従来より湿式電気掃除機用として用いられている吸引ホースを特に制限なく使用することができ、例えば、蛇腹状のホース、外側が蛇腹状で内側が平滑管状のホース、平滑管状のホース等が挙げられる。本形態の湿式電気掃除機１においては、ホースの曲がり易さを確保しつつ、ホース内面の汚水の付着を防止する観点から、外側が蛇腹状で内側が平滑管状のホースを用いている。
【００１７】
前記気水分離器１３は、吸引ホース１２から導入される混合流Ａから汚れ及び水分（汚水Ｂ）を分離する。
【００１８】
前記電動ファン１５は、混合流Ａから汚水Ｂをほぼ分離した空気Ｃ’を吸引し、排気部１５Ｂから空気Ｃを排出する。
出力１．５ｋＷ以下の電動ファンが家庭用の湿式電気掃除機には適している。被洗浄物等の条件に応じて、１．２ｋＷ以下や１．０ｋＷ以下の電動ファンも用いることができる。
【００１９】
前記汚水タンク１４は、混合流Ａから分離される汚れ及び水分（汚水Ｂ）を貯溜するタンクであり、本形態の湿式電気掃除機１においては、上方が開口する円筒形である。また、汚水タンク１４は、図１及び図２に示すように、気水分離器１３の直下に配置されており、気水分離器１３の底部の連通孔１３Ｂを介して気水分離器１３の内部と連通している。
【００２０】
気水分離器１３の排出部３８と電動ファン１５の吸引部１５Ａとの間には、汚れ及び水分がほぼ分離した空気Ｃ’から更に汚れ及び水分を分離するフィルタ１６が設けられている。
【００２１】
本実施形態の吸引ノズル１１においては、噴射ノズル５１は、屈曲管路７０及びチューブ接合部６９を介して、送液チューブ５２に連結されており、噴射ノズル５１の噴射口５１Ａから、送液チューブ５２から送給される洗浄液Ｗを被洗浄物に向けて噴射できるようになっている。
噴射ノズル５１は、ノズルチップを交換することにより、被洗浄物に応じて、霧状に噴射（噴霧）するもの、洗浄液を勢いよく直線状に噴射するもの等を用いることができる。本実施形態においては、霧状に噴射するものを用いている。
【００２２】
また、本実施形態の吸引ノズル１１においては、電動ファンの作動中に噴射ノズル５１から洗浄液を噴射していても、前述した理由により、吸引ノズル１１を被洗浄物に接触させていなければ、遮蔽板５６が上方に引き上げられ、遮蔽板５６の板状下部分が、噴射ノズル５１の噴射口５１Ａの正面に位置する。そのため、噴射ノズル５１から噴射された洗浄液は遮蔽板５６に当り、吸引ノズル１１から外部に飛散することはない。
【００２３】
本実施形態の吸引ノズル１１によれば、噴射ノズル５１の噴射口５１Ａの近傍で、前方部１１Ａと後方部１１Ｂとに分割されるので、噴射ノズル５１の噴射口５１Ａ、遮蔽板５６の噴射ノズル５１側の面及び吸引ノズル１１の内周面における遮蔽板５６と噴射ノズル５１との間の部分が露出され、これらの部分の清掃が容易であると共に、噴射口５１Ａにセットされるノズルチップの交換も容易である。更に、ノズルチップを外し、噴射ノズル５１内部に詰まった異物（洗浄液内に混入していたもの）の除去も容易である。
本発明の吸引ノズルは、前記前方部が交換できる形態となっているので、種々の形状の前方部を選択して、それを後方部に接合することができる。
【００２４】
本発明の吸引ノズルは、前述した実施形態に制限されることなく、本発明の趣旨を逸脱しない限り、以下に示すように適宜変更が可能である。
本発明の吸引ノズルにおける前方部と後方部との分割形態は、図４及び図６に示すような、吸引ノズル１１の軸方向に対して直交する面で分割される形態の他、例えば、図８〜図１１に示すような分割形態にすることができる。
【００２５】
図８に示す分割形態においては、円筒形状の後方本体６７の先端部分が１８０度分切り取られて新たに段差状の面が生じ、この面が前方本体６３との分割面となる。また、側面視で、噴射ノズル５１の噴射口５１Ａは、切り取られなかった前記後方本体６７の端部よりもやや吸引ホース側に位置し、且つ切り取られて新たに生じた前記段差状の面のうちの垂直面よりも前方に位置している〔図８（ｂ）参照〕。
図８に示す形態の吸引ノズル１１は、分割状態でも、噴射ノズル５１の一部が後方部１１Ｂの周面で包囲されている。その分、噴射ノズル５１は、外部からの衝撃、負荷等から保護され、図３〜図７に示す形態の吸引ノズル１１と同程度の清掃及び部品交換の容易性を確保しつつ、破損防止性が向上する。
【００２６】
図９に示す分割形態においては、円筒形状の後方本体６７の先端部分が約９０度分切り取られて新たに段差面が生じ、この面が前方本体６３との分割面になる。噴射ノズル５１の位置は、図８に示された噴射ノズルと同じである〔図９（ｂ）参照〕。
図９に示す形態の吸引ノズル１１においては、図８に示す形態の吸引ノズル１１に比して、吸引ノズル１１の清掃及び部品交換の容易性は若干低下するが、噴射ノズル５１の破損防止性が向上する。
【００２７】
本発明の吸引ノズルにおいては、図１０に示すように、吸引ノズル１１の分割面を、側面視で、吸引ノズル１１の中心軸に対して傾斜した直線状にすることができ、図１１に示すように、吸引ノズル１１の中心軸に対して傾斜した緩曲線状にすることもできる。
【００２８】
吸引ノズルの前方部と後方部との接合構造は、図４に示す実施形態のようなネジ留めに制限されない。例えば、前方部における接合部周面に雄ネジを形成し、後方部における接合部周面に雌ネジを形成し、該雄ネジと該雌ネジとのネジ込み方式で、前方部と後方部とを接合することもできる。
吸引ノズルにおける遮蔽板の構造及びそれを移動させる機構は、前述の実施形態のものに限定されない。
噴射ノズルの数は１個に限定されず、２個以上でもよい。噴射ノズルの噴射角度も被洗浄物の形状等に応じて変えてもよい。
【００２９】
本発明の吸引ノズルは、フローリング等の平滑な被洗浄物の洗浄よりも、カーペットのような細かい凹凸のある被洗浄物の洗浄に適しているが、それ以外にも、畳、フローリング、窓ガラス等の建物構造部の洗浄にも用いることができる。また、建物構造部以外にも、例えば、車のシートの洗浄やソファーの洗浄にも用いることもできる。
【図面の簡単な説明】
【００３０】
【図１】図１は、本発明の一実施形態の吸引ノズルを用いた湿式電気掃除機を、そのハウジングを仮想的に透過して示す斜視図である。
【図２】図２は、図１に示す湿式電気掃除機の全容を、汚れ、水分等の流通経路と共に示す模式図である。
【図３】図３は、本発明の一実施形態の吸引ノズルを示す斜視図である。
【図４】図４は、本発明の一実施形態の吸引ノズルを分割した状態で示す斜視図である。
【図５】図５は、本発明の一実施形態の吸引ノズルを示す平面図である。
【図６】図６は、図５に示すＡ−Ａ断面の模式図である。
【図７】図７は、図５に示すＢ−Ｂ断面の模式図である。
【図８】図８は、本発明の吸引ノズルの他の分割形態を示す模式的斜視図で、（ａ）は斜視図、（ｂ）は側面図である。
【図９】図９は、本発明の吸引ノズルの更に他の分割形態を示す模式的斜視図で、（ａ）は斜視図、（ｂ）は側面図である。
【図１０】図１０は、本発明の吸引ノズルの更に他の分割形態を示す模式的斜視図で、（ａ）は斜視図、（ｂ）は側面図である。
【図１１】図１１は、本発明の吸引ノズルの更に他の分割形態を示す模式的斜視図で、（ａ）は斜視図、（ｂ）は側面図である。
【符号の説明】
【００３１】
１  湿式電気掃除機
１１  吸引ノズル
１１Ａ  前方部
１１Ｂ  後方部
１２  吸引ホース
１３  気水分離器
１４  汚水タンク
１５  電動ファン
１５Ａ  吸引部
１５Ｂ  排気部
１６  フィルタ
３１  導入筒
３８  排出部
５１  噴射ノズル
５１Ａ  噴射口
５２  送液チューブ
５６  遮蔽板
５６Ａ  導通孔
６１  先端部
６２  軟質部材
６３  前方本体
６４  後端嵌合部
６５  雌ネジ部
６６  前端嵌合部
６７  後方本体
６８  ホース接合部
６９  チューブ接合部
７０  屈曲管路
７１  ネジ貫通孔
７２  ピストン
７４  コイルばね
７５  ガイド凸状体
Ａ  混合流
Ｂ  汚水
Ｃ  空気
Ｃ’  混合流から汚れと水分をほぼ分離した空気
Ｗ  洗浄液
【図１】
2006181041.tif 000003
【図２】
2006181041.tif 000004
【図３】
2006181041.tif 000005
【図４】
2006181041.tif 000006
【図５】
2006181041.tif 000007
【図６】
2006181041.tif 000008
【図７】
2006181041.tif 000009
【図８】
2006181041.tif 000010
【図９】
2006181041.tif 000011
【図１０】
2006181041.tif 000012
【図１１】
2006181041.tif 000013